(57)【要約】【課題】内視鏡保管装置に懸架された内視鏡の少なくとも内視鏡挿入部にカバーを装着することにより、保管期間に係わらず常に清潔、且つ安全に保管することができる内視鏡保管装置を提供する。【解決手段】枠体１０の内部空間Ｓに内視鏡を収容する内視鏡保管装置であり、内視鏡１を吊り下げて保持する内視鏡保持手段２０を内部空間Ｓの上部に配置し、保持された内視鏡１の下方には、体腔内に挿入される内視鏡挿入部３を少なくとも覆うように内視鏡１にカバー５を装着するカバー装着手段３０を配置した。【選択図】図２
2011072664.tif 000002
【特許請求の範囲】
【請求項１】
枠体の内部空間に内視鏡を収容する内視鏡保管装置であって、
前記内部空間の上部に配置され、前記内視鏡を吊り下げて保持する内視鏡保持手段と、
前記保持された内視鏡の下方に配置され、体腔内に挿入される内視鏡挿入部を少なくとも覆うように前記内視鏡にカバーを装着するカバー装着手段と、
を備えた内視鏡保管装置。
【請求項２】
請求項１記載の内視鏡保管装置であって、
前記カバー装着手段が、
断面環状の長尺カバー材をロール状に巻回したカバーロールを保持するカバーロール保持部と、
前記カバーロール保持部から前記長尺カバー材を繰り出して、前記断面環状のカバー環内に前記内視鏡挿入部を内視鏡先端部側から挿通させるカバー装着治具と、
前記内視鏡挿入部の基端側に前記内視鏡先端部から挿通して装着された長尺カバー材の一旦側を結束して固定するカバー結束部と、
前記結束された長尺カバー材の末端側を前記内視鏡先端部より更に先端側で切断するカバー切断部と、
を備えた内視鏡保管装置。
【請求項３】
請求項２記載の内視鏡保管装置であって、
前記長尺カバー材が熱融着性を有し、
前記カバー切断部より前記長尺カバー材の繰り出し方向の先方に、切断される前記長尺カバーの末端側を加熱融着させる加熱シール手段を備えた内視鏡保管装置。
【請求項４】
請求項１〜請求項３のいずれか１項記載の内視鏡保管装置であって、
前記長尺カバー材が、透光性を有する材料で形成されている内視鏡保管装置。
【請求項５】
請求項１〜請求項４のいずれか１項記載の内視鏡保管装置であって、
前記枠体の内部空間を囲む密閉部材と、
前記内部空間の空気を循環させて前記内視鏡を乾燥させる空調手段と、
を備えた内視鏡保管装置。
【請求項６】
請求項５記載の内視鏡保管装置であって、
前記空調手段が、温風を発生させる加熱機能を有する内視鏡保管装置。
【請求項７】
請求項５又は請求項６記載の内視鏡保管装置であって、
前記空調手段が、前記内部空間の空気を除湿する除湿機能を有する内視鏡保管装置。
【発明の詳細な説明】
【技術分野】
【０００１】
本発明は、内視鏡保管装置に関する。
【背景技術】
【０００２】
内視鏡を使用すると、血液、粘液、分泌液、組織片、消化物、薬剤等の汚染物質が付着するので、使用後の内視鏡は速やかに洗浄・消毒、乾燥、滅菌し、次の患者に使用するまで清浄に保管する必要がある。しかし、洗浄後の内視鏡のチャンネル等、内視鏡の内側になる部位には液滴が溜まりやすく、液適が残った状態で保管していると、内部に残留したバクテリアが繁殖する虞があるため十分に乾燥させる必要がある。そのため、洗浄後の内視鏡を吊り下げて、内部まで確実に乾燥させる内視鏡保管装置が提供されている（例えば、特許文献１、２参照）。
【０００３】
特許文献１に記載の医療用電気機器積載カートは、カート本体に装着されるスコープハンガー内に加熱装置、ファン等を内蔵しており、洗浄後、カート本体に保持される内視鏡を乾燥させて、安全かつ清潔に保管すると共に、カート本体を移動できるようにしている。また、特許文献２に記載の内視鏡の乾燥保管装置は、加温装置、除湿装置、加温空気を送気ノズルから内視鏡の内部に送り出す加温空気送気装置等を備え、内視鏡の乾燥時間を短縮すると共に、内視鏡の内部まで確実に乾燥させて保管するようになっている。
【０００４】
内視鏡は、洗浄された後に乾燥され、次の使用時まで、そのまま保管装置内に保管されるのが一般的である。しかし、実使用までの保管期間が長くなると、内視鏡に塵埃や、接触による汚れが付着する場合が考えられ、不衛生となりやすい。しかしながら、上記の特許文献１及び特許文献２に記載の保管装置は、いずれも洗浄後の内視鏡を乾燥・保管する機能のみを有するものであり、保管中における汚染防止については、取扱い者の注意に委ねられているのが実情である。
【先行技術文献】
【特許文献】
【０００５】
【特許文献１】特開平５−９５８８８号公報
【特許文献２】特開２００８−３０１８７５号公報
【発明の概要】
【発明が解決しようとする課題】
【０００６】
本発明は、上述した事情に鑑みてなされたものであり、その目的は、内視鏡保管装置に懸架された内視鏡の少なくとも内視鏡挿入部にカバーを装着することにより、保管期間に係わらず常に清潔、かつ安全に保管することができる内視鏡保管装置を提供することにある。
【課題を解決するための手段】
【０００７】
本発明は、下記構成からなる。
（１）  枠体の内部空間に内視鏡を収容する内視鏡保管装置であって、
前記内部空間の上部に配置され、前記内視鏡を吊り下げて保持する内視鏡保持手段と、
前記保持された内視鏡の下方に配置され、体腔内に挿入される内視鏡挿入部を少なくとも覆うように前記内視鏡にカバーを装着するカバー装着手段と、
を備えた内視鏡保管装置。
【発明の効果】
【０００８】
本発明の内視鏡保管装置によれば、内視鏡保管装置内に内視鏡保持手段によって吊り下げ保持された内視鏡に対し、内視鏡挿入部へカバーを掛けて、塵埃や、接触による汚れが内視鏡に付着することを防止し、長期間に亘って内視鏡を清潔、かつ安全に保管することができる。
【図面の簡単な説明】
【０００９】
【図１】本発明に係る実施形態を説明するための内視鏡保管装置の全体外観図である。
【図２】図１に示す内視鏡保管装置の概略的な正面図である。
【図３】図２のＡ−Ａ線における断面矢視図である。
【図４】図３のＢ部の拡大斜視図である。
【図５】カバー装着部の概略構成を模式的に示す構成図である。
【図６】カバー装着治具の概略構成を示す斜視図である。
【図７】カバー装着部の制御ブロック図である。
【図８】図８Ａはカバー装着位置に内視鏡を配置した説明図、図８Ｂは内視鏡挿入部に長尺カバー材を掛けた状態を示す説明図、図８Ｃは長尺カバー材を結束した様子を示す説明図、図８Ｄはカバー装着治具が下降した状態を示す説明図、図８Ｅは長尺カバー材を切断した様子を示す説明図、図８Ｆは防汚カバー装着後の内視鏡を待避させた様子を示す説明図である。
【図９】熱シールヘッドを有するカバー装着部の模式的に示す構成図である。
【図１０】防汚カバーの端部をシールした状態を示す模式図である。
【図１１】内視鏡挿入部が高剛性の防汚カバーに挿入された状態を示す模式図である。
【発明を実施するための形態】
【００１０】
以下、本発明に係る内視鏡保管装置の好適な実施の形態について、図面を参照して詳細に説明する。
【００１１】
図１は本発明に係る実施形態を説明するための内視鏡保管装置の全体外観図、図２は内視鏡保管装置の概略的な正面図、図３は図２のＡ−Ａ線における断面矢視図である。図１から図３に示すように、内視鏡保管装置１００は、洗浄後の内視鏡１を乾燥させて保管するための装置であって、フレーム部材である枠体１０と、枠体１０で囲まれる内部空間の上部に配置され内視鏡１を吊り下げて保持する内視鏡保持部２０と、保持された内視鏡１の下方に配置され内視鏡１に防汚カバーを装着するカバー装着部３０と、内視鏡１の乾燥処理のための空調ユニット１２とを備える。
【００１２】
枠体１０は、外形が箱状に形成され、側面、後面、及び上下面が例えば、ステンレス鋼板によって覆われており、前面側に開口部を有する。開口部には開閉可能な扉１１が設けられ、これらステンレス鋼板や扉１１が密閉部材となって、内部空間Ｓを外部とは遮断された密閉状態とすることができる。
【００１３】
枠体１０の下方には、空調手段としての空調ユニット１２が配設されている。空調ユニット１２は、内部空間Ｓ内の雰囲気温度を上昇させる加熱機能、内部空間Ｓ内の空気から水分を除去して低湿度環境にする除湿機能、及び除湿、加熱された空気を内部空間Ｓ内で循環させるファン（いずれも図示せず）等が、内蔵されている。これら加熱機能、除湿機能自体は、周知の技術を適用することができる。なお、乾燥処理中は、内部空間Ｓの空気を外部に排出する等、適宜な換気機能があってもよい。
【００１４】
内視鏡保持部２０は、図４に図３のＢ部を拡大して示すように、体腔内に挿入される内視鏡挿入部３を垂れ下げた状態で内視鏡１を吊り下げて保持するものであり、内部空間Ｓの上部において、枠体１０の両脇側の側壁１３、１４を連結する断面矩形のスコープハンガー２１と、スコープハンガー２１に係合・離脱自在に、かつスコープハンガー２１の長手方向に沿って移動自在とされたスライダ２２とを備える。
【００１５】
スライダ２２には、スコープハンガー２１と係合する直状溝２３が下面に設けられると共に、内視鏡１の操作部２が係止されるテーパ孔２４が形成されている。スライダ２２のテーパ孔２４の正面側は、内視鏡挿入部３が挿通可能な溝部２５が形成されている。これにより、内視鏡挿入部３をスライダ２２の前面側から溝部２５を通じてテーパ孔２４内に導き、テーパ孔２４に操作部２を載せることで、内視鏡１はスライダ２２に懸架されるようになる。
【００１６】
ここで、内視鏡挿入部３とは、照明窓、観察窓、処置具挿通チャンネル等が設けられ、硬質部材からなる先端部、先端部に続いて形成されて所望の方向に湾曲操作可能である湾曲部、及び湾曲部と操作部２とを接続する柔軟性を有する軟性部のことであり、内視鏡検査時に体腔内へ挿入又は把持する部分を指す。
【００１７】
カバー装着部３０は、少なくとも内視鏡挿入部３を覆うように内視鏡１に防汚カバー５を装着するための装置であり、図５にその概略構成を示した。このカバー装着部３０は、図２に示す枠体１０の左右いずれか一方の側部（図示例では右側部）、かつスコープハンガー２１の真下のカバー装着位置ＣＰに配設されている。即ち、防汚カバー５は、カバー装着位置ＣＰにおいて、内視鏡挿入部３に装着される。防汚カバー５は、透光性を有する熱可塑性樹脂シートからなる。
【００１８】
図５に示すように、カバー装着部３０は、カバーロール保持部３１と、カバー装着治具３２と、結束手段３３と、カバー切断手段３４を備える。カバーロール保持部３１には、断面環状の連続する長尺カバー材７をロール状に巻回したカバーロール３５が保持されており、断面環状の長尺カバー材７が、一対のピンチローラ３６によってカバーロール３５から連続して繰り出される。
【００１９】
カバー装着治具３２は、カバーロール保持部３１から長尺カバー材７を繰り出しながら、長尺カバー材７を内視鏡挿入部３に装着させるものであり、カバーロール保持部３１の上方で上下動自在に配設されている。カバー装着治具３２は、図６に拡大斜視図を示すように、防汚カバー５と略同じ内径のカバー保持孔３７を有する環状部を有し、環状部側方の一部が可動基台３８に固着されている。カバー保持孔３７の内面には、円周方向に沿って複数の吸着ノズル３９が設けられている。各吸着ノズル３９は、可動基台３８に設けたエア接続口４０にエア接続路４１を介して接続されている。
【００２０】
これらカバー装着治具３２と可動基台３８は一体となって、図２に示すスライドレール４２に沿って上下動する。つまり、可動基台３８は、枠体１０の側壁１４に沿って立設され、スコープハンガー２１の上方まで延びるスライドレール４２に摺動自在に係合しており、駆動源からの動力を得て、上下方向に移動可能になっている。駆動源としては、例えば電動モータ等の適宜なものが利用可能であり、例えばボールネジ機構によって可動基台３８を上下駆動する構成とすることができる。
【００２１】
また、図５、図６に示すように、カバー装着治具３２のカバー保持孔３７の下部には、接着テープ、紐、糸等の結束帯を繰り出して長尺カバー材７の上端部を内視鏡１の操作部２の下部位置で結束する結束部３３が配設されている。この結束部３３としては、従来公知の結束機構が利用でき、例えば特開２００８−２７５２３５号公報に記載の結束機であってもよい。即ち、結束部３３は、先端に結束帯の一端を保持した円弧状のガイド部材（図示略）が、内視鏡１の操作部２の回りをガイドされつつ回転することで、結束帯を長尺カバー材７を挟んで操作部２の周囲に巻き付け、更に結束帯の一端と基端側とを接合することで長尺カバー材７を内視鏡１の操作部２に固定することができる。
【００２２】
また、図５に示すように、移動範囲の最下端位置のカバー装着治具３２の上方には、例えば、電磁ソレノイド（図示せず）等で駆動される一対のカッタ４４Ａ，４４Ｂを備えたカバー切断部３４が配置されている。カッタ４４は、可動側カッタ４４Ａが固定側カッタ４４Ｂから離れた待避位置から固定側カッタ４４Ｂと交差する位置までの間を移動することで、カッタ４４Ａ，４４Ｂの間に狭まれた長尺カバー材７を切断する。また、固定側カッタ４４Ｂは、図５の紙面垂直方向に移動可能な図示しないフレーム部材に固設され、フレーム部材の駆動によってカバー切断時以外はカバー装着治具３２と干渉しない位置まで待避する構成となっている。
【００２３】
そして、可動基台３８のエア接続口４０には真空ポンプ４６が接続され、図６に示すカバー保持孔３７の円周方向に沿って配置された複数の吸着ノズル３９から長尺カバー材７を任意のタイミングで吸着保持、解除が可能となっている。
【００２４】
ここで、図７にカバー装着部の制御ブロック図を示した。上記構成のカバー装着部３０は、操作部４９からの指示を受けて制御部４８により駆動制御される。即ち、カバー装着治具３２を上下移動させる電動モータ４３、カバー切断部３４を駆動する電磁ソレノイド、結束部３３の駆動モータ、可動基台３８のエア接続口４０に接続されるエア流路に設けられた電磁弁４５等は、枠体１０の適宜の位置に設けられたスイッチ等の操作部４９を操作することにより、制御部４８からの制御信号に基づいて制御される。
【００２５】
次に、内視鏡保管装置１００による防汚カバー装着動作について、図８Ａ〜図８Ｆに基づいて段階的に説明する。
検査後の使用済みとなった内視鏡１は、まず内視鏡洗浄機により洗浄され、内視鏡１に付着している血液、粘液、分泌液、組織片、消化物、薬剤等の汚染物質を除去して、清浄な状態にされる。洗浄液が付着している未乾燥の内視鏡１を、直状溝２３がスコープハンガー２１に係合されたスライダ２２のテーパ孔２４に、操作部２を嵌合させて懸架させ、空調ユニット１２によって、除湿、加熱された空気を内部空間Ｓ内で循環させて乾燥させる。
【００２６】
内視鏡１をスコープハンガー２１に懸架して、十分な乾燥時間を経過させた後、図８Ａに示すように、乾燥が終了した内視鏡１をスライダ２２と共にカバー装着位置ＣＰのスコープハンガー２１に懸架する。これにより、内視鏡挿入部３が、カバー装着手段３０の真上に配置される。
【００２７】
ここで、図７に示す操作部４９をスイッチ操作すると、制御部４８からの制御信号に基づいて電磁弁４５がオンとなり、真空ポンプ４６によってカバー保持孔３７の複数の吸着ノズル３９からエア吸引される。これにより、カバーロール３５から繰り出された長尺カバー材７の先端外周面が、カバー保持孔３７の内周面に吸着されて円環状に開く。
【００２８】
続いて、図８Ｂに示すように、電動モータ４３（図７参照）の駆動により、カバー装着治具３２がスライドレール４２に案内されて上昇すると、カバー装着治具３２のカバー保持孔３７に吸着されて円環状に開いている長尺カバー材７の内側に、内視鏡挿入部３が先端部から挿入される。カバー装着治具３２が可動範囲の最上端まで上昇すると、内視鏡挿入部３の全体が長尺カバー材７の中に収容される。
【００２９】
次いで、図８Ｃに示すように、可動基台３８の下部に配設された結束部３３を駆動して、長尺カバー材７を内視鏡挿入部３と操作部２との間で結束し、長尺カバー材７の上端を内視鏡１に固定する。
【００３０】
そして、カバー装着治具３２のカバー保持孔３７からの吸引を、図７に示す電磁弁４５をオフにすることで停止した後、図８Ｄに示すように、可動基台３８を可動範囲の最下端まで下降させる。ここで再び、電磁弁４５をオンにして、長尺カバー材７をカバー保持孔３７の吸着ノズル３９に吸着させる。そして、長尺カバー材７をカバー装着治具３２に保持させた状態で、カバー切断部３４の可動側カッタ４４Ａ（図５参照）を駆動して、長尺カバー材７をカバー装着治具３２の上方位置で切断する。
【００３１】
これにより、図８Ｅに示すように、カバーロール３５と分離した長尺カバー材７は、内視鏡１の内視鏡挿入部３を覆う防汚カバー５となる。そして、カバー装着位置ＣＰにおいてスコープハンガー２１に懸架される内視鏡１は、内視鏡挿入部３の全長が、下側が開放状態となった防汚カバー５によって覆われると共に、カバー装着治具３２には、新たな長尺カバー材７の上端部が吸着された状態となる。
【００３２】
次いで、図８Ｆに示すように、防汚カバー５が装着された内視鏡１は、スコープハンガー２１に係止されたスライダ２２をスコープハンガー２１に沿ってスライド移動させて、カバー装着位置ＣＰから待避させる。そして、空いたカバー装着位置ＣＰに、次のスライダ２２に懸架された内視鏡１をセットして、以後、同様の操作を繰り返し行う。
【００３３】
以上説明したように、この内視鏡保管装置１００によれば、内視鏡保持部２０によって吊り下げ保持された内視鏡１を乾燥させた後、内視鏡挿入部３にカバーロール保持部３１から連続供給される長尺カバー材７を掛けて、塵埃や、接触による汚れが内視鏡１に付着することを防止し、内視鏡１を清潔、かつ安全に保管することができる。
なお、上記の内視鏡保管装置１００は、空調ユニット１２により内視鏡１の乾燥処理を行っているが、単に内視鏡１を懸架するだけの保管装置であってもよい。即ち、本内視鏡保管装置１００によれば、内視鏡１を内部空間に収容した状態で、そのまま内視鏡１にカバーを装着するため、内視鏡１が、検査、洗浄、乾燥、保管といった一連の使用サイクルを、人手を掛けることなく作業効率を高めることができる。その結果、より円滑な内視鏡検査の運用が可能となる。
【００３４】
次に、上記の内視鏡保管装置の変形例について説明する。ここでは、図５と同一の部材に対しては同じ符号を付与することで、その説明を簡単化又は省略する。変形例の内視鏡保管装置は、図９に示すように、カバー切断部３４の上方に一対の熱シールヘッド５１Ａ，５１Ｂを備えた熱シール部５０が配置されている。熱シール部５０は、カバー切断部３４が長尺カバー材７を切断して、長尺カバー材７をカバーロール３５から分離すると同時に、分離された防汚カバー５の下端（切断位置近傍）を熱溶着してシールする。これにより、図１０に示すように、内視鏡挿入部３を、基端側（内視鏡挿入部３と操作部２との間）における結束と相俟って、防汚カバー５内に完全に密封されるので、より確実に内視鏡１の汚染を防止できる。
【００３５】
また、図１１に示すように、防汚カバー５の材料を、腰のある厚手の材料で形成すれば、防汚カバー５自体によって緩衝機能（特に、防汚カバー５の幅Ｗ方向において有効）を持たせることができ、内視鏡検査時等に内視鏡保管装置１００から取り出した内視鏡１の先端部が、不用意に床、机等の周辺機器に接触しても、損傷を受けることを未然に防止できる。更に、防汚カバー５の材料として表面層にエア層を形成した二重構造の緩衝シートとしたり、長尺カバー材７のシール前に発泡スチロール片等のクッション材料を長尺カバー材７の内部に混入させたりする等の適宜な変更も可能であり、防汚効果に加えて緩衝効果を得ることもできる。
【００３６】
なお、上記の内視鏡保管装置は、内視鏡の懸架作業、カバー装着済み内視鏡の移動等は手動で行うものとして説明したが、これに限らず、スコープハンガーに一旦懸架した内視鏡をモータ駆動等により自動で移動させる構成にすることもできる。また、スコープハンガーをリング状に形成することで、カバー装着済み内視鏡の移動と、新たにカバー未装着の内視鏡をカバー装着位置ＣＰに移動させる一連の作業が簡単に行えるようになる。
【００３７】
更に、乾燥処理時間をタイマーにより自動終了させる構成とし、この乾燥処理の終了後に、カバー装着位置ＣＰに配置された内視鏡を自動的に防汚カバーを装着開始する構成としてもよい。その場合、洗浄機から取り出された未乾燥の内視鏡を内視鏡保管装置のスコープハンガーに懸架するだけで、乾燥処理とカバー掛けまでの工程を自動的に行うことができ、煩わしい作業が不要となって利便性が高められる。
【００３８】
このように、本発明は上記の実施形態に限定されるものではなく、明細書の記載、並びに周知の技術に基づいて、当業者が変更、応用することも本発明の予定するところであり、保護を求める範囲に含まれる。
【００３９】
以上の通り、本明細書には次の事項が開示されている。
（１）  枠体の内部空間に内視鏡を収容する内視鏡保管装置であって、
前記内部空間の上部に配置され、前記内視鏡を吊り下げて保持する内視鏡保持手段と、
前記保持された内視鏡の下方に配置され、体腔内に挿入される内視鏡挿入部を少なくとも覆うように前記内視鏡にカバーを装着するカバー装着手段と、
を備えた内視鏡保管装置。
【００４０】
この内視鏡保管装置によれば、内視鏡保管装置の枠体の内部空間に、内視鏡を吊り下げて保持する内視鏡保持手段と、内視鏡にカバーを装着するカバー装着手段と、を備えるので、内視鏡保持手段によって吊り下げ保持された内視鏡を、カバーが装着された清浄な状態で保管することができる。これによって、内視鏡が長期間保管されていても、内視鏡挿入部に塵埃や、接触による汚れの付着が防止され、清潔、かつ安全に保管することができる。
【００４１】
（２）  （１）の内視鏡保管装置であって、
前記カバー装着手段が、
断面環状の長尺カバー材をロール状に巻回したカバーロールを保持するカバーロール保持部と、
前記カバーロール保持部から前記長尺カバー材を繰り出して、前記断面環状のカバー環内に前記内視鏡挿入部を内視鏡先端部側から挿通させるカバー装着治具と、
前記内視鏡挿入部の基端側に前記内視鏡先端部から挿通して装着された長尺カバー材の一旦側を結束して固定するカバー結束部と、
前記結束された長尺カバー材の末端側を前記内視鏡先端部より更に先端側で切断するカバー切断部と、
を備えた内視鏡保管装置。
【００４２】
この内視鏡保管装置によれば、カバー装着手段は、長尺カバー材がロール状に巻回されたカバーロールを保持するカバーロール保持部から断面環状の長尺カバー材を繰り出し、この長尺カバー内に内視鏡挿入部を挿通した後、結束手段によって内視鏡挿入部の基端側で長尺カバー材を結束し、更に、カバー切断手段によって長尺カバー材の末端側を切断する。これにより、カバーロール保持部から長尺カバー材を連続供給でき、複数の内視鏡に対して連続してカバー掛け作業を行うことができ、作業効率が向上する。
【００４３】
（３）  （２）の内視鏡保管装置であって、
前記長尺カバー材が熱融着性を有し、
前記カバー切断部より前記長尺カバー材の繰り出し方向の先方に、切断される前記長尺カバーの末端側を加熱融着させる加熱シール手段を備えた内視鏡保管装置。
この内視鏡保管装置によれば、加熱シール手段により長尺カバーの末端側を加熱融着させることで、カバー内が汚れることをより確実に防止できる。
【００４４】
（４）  （１）〜（３）のいずれか１つの内視鏡保管装置であって、
前記長尺カバー材が、透光性を有する材料で形成されている内視鏡保管装置。
この内視鏡保管装置によれば、長尺カバー材が透光性を有することで、カバーが装着された状態でも内視鏡挿入部の外観を確認することができる。
【００４５】
（５）  （１）〜（４）のいずれか１つの内視鏡保管装置であって、
前記枠体の内部空間を囲む密閉部材と、
前記内部空間の空気を循環させて前記内視鏡を乾燥させる空調手段と、
を備えた内視鏡保管装置。
この内視鏡保管装置によれば、枠体の内部空間が枠体封止部材によって囲まれて密閉されると共に、内部空間の空気を循環させることで、外部環境に係わらず内部を衛生的に保持して短時間で乾燥させることができる。また、洗浄後の内視鏡の乾燥処理とカバーの装着を連続的に行うことができ、検査、洗浄、乾燥、保管といった内視鏡の使用サイクルの作業効率が高められる。
【００４６】
（６）  （５）の内視鏡保管装置であって、
前記空調手段が、温風を発生させる加熱機能を有する内視鏡保管装置。
この内視鏡保管装置によれば、温風の発生により内視鏡をより短時間で乾燥できる。
【００４７】
（７）  （５）又は（６）の内視鏡保管装置であって、
前記空調手段が、前記内部空間の空気を除湿する除湿機能を有する内視鏡保管装置。
この内視鏡保管装置によれば、除湿により内視鏡をより短時間で乾燥できる。
【符号の説明】
【００４８】
１  内視鏡
３  内視鏡挿入部
５  防汚カバー
７  長尺カバー材
１０  枠体
１２  空調ユニット
２０  内視鏡保持部
３０  カバー装着部
３１  カバーロール保持部
３２  カバー装着治具
３４  カバー切断部
３５  カバーロール
５０  熱シール部
５１  熱シールヘッド
１００  内視鏡保管装置
Ｓ    内部空間
【図１】
2011072664.tif 000003
【図２】
2011072664.tif 000004
【図３】
2011072664.tif 000005
【図４】
2011072664.tif 000006
【図５】
2011072664.tif 000007
【図６】
2011072664.tif 000008
【図７】
2011072664.tif 000009
【図８】
2011072664.tif 000010
【図９】
2011072664.tif 000011
【図１０】
2011072664.tif 000012
【図１１】
2011072664.tif 000013